(57)【要約】【課題】画像フォルダ３０の名称がＤＣＦ規格に準拠しているか否かに関わらず、画像フォルダ３０を伝送することができ、さらに、画像フォルダ３０に保持されている画像ファイル３３をモニタ５に表示させることができる画像フォルダ伝送再生装置１を提供することを目的とする。【解決手段】ＣＰＵ２は、画像フォルダ３０内にアルバム化フォルダ３４が存在するか否かを判定する（Ｓ１０２）。アルバム化フォルダ３４が存在しなしとき（Ｓ１０２でＮｏ）、ＣＰＵ２は、アルバム化フォルダ３４に保持される画像フォルダ３０内にアルバム化フォルダ３４を作成する（Ｓ１０３）。ＣＰＵ２は、画像フォルダ３０を伝送し、アルバム化フォルダ３４が保持する情報に基づいて、電子アルバム４１をモニタ５に表示させる。これにより、ユーザは、好みのレイアウトで電子アルバム４１を鑑賞することができる。【選択図】図１１
2012085993.tif 000002
【特許請求の範囲】
【請求項１】
画像フォルダに保持された画像ファイル又は文字を表示する画像フォルダ伝送再生装置において、
前記画像フォルダ伝送再生装置は、前記画像ファイル又は前記文字を表示する画像表示部と、ユーザによって該文字または操作命令が入力される入力部と、装置全体を制御する制御プログラムを記憶する記憶部と、前記画像フォルダを記憶する記憶装置が接続される記憶装置接続部と、有線通信又は無線通信によって前記画像フォルダを送受信する通信部とを備え、
前記記憶部は、前記画像フォルダに保持された該画像ファイル及び該画像ファイルの属性情報を前記画像表示部に表示させる表示プログラムを記憶し、
前記制御部は、
前記記憶装置が前記記憶装置接続部に接続されるか、前記通信部が前記画像フォルダを受信したことに応じて、
該画像フォルダ内に、該画像フォルダに保持された該画像ファイル及び該画像ファイルの属性情報を該画像フォルダ単位で電子アルバムとして前記画像表示部に表示させるためのアルバム化フォルダが存在するか否かを判定し、
該画像フォルダ内に該アルバム化フォルダが存在しないとき、該画像フォルダ内に該アルバム化フォルダを作成し、
該画像フォルダ内に該アルバム化フォルダが存在するとき、該アルバム化フォルダに保持される情報に基づいて、該電子アルバムを該画像表示部に表示させることを特徴とした画像フォルダ伝送再生装置。
【請求項２】
前記属性情報は、前記画像ファイルのＦＡＴ（Ｆｉｌｅ  Ａｌｌｏｃａｔｉｏｎ  Ｔａｂｌｅ）データ又はＥｘｉｆ（Ｅｘｃｈａｎｇｅａｂｌｅ  Ｉｍａｇｅ  Ｆｉｌｅ  Ｆｏｒｍａｔ）データであり、
前記制御部は、
前記画像フォルダ内に前記アルバム化フォルダを作成するとき、該アルバム化フォルダ内に前記電子アルバムのアルバムタイトルを生成するために用いられるアルバムタイトルファイルを作成し、
該画像フォルダ内に保持されている前記画像ファイルの中から該画像ファイルを１枚選択し、該画像ファイルの前記ＦＡＴデータ又は前記Ｅｘｉｆデータを参照し、
該アルバムタイトルファイルに、該ＦＡＴデータ又は該Ｅｘｉｆデータに数値データとして保持されている日付情報、時刻情報、又はＧＰＳ情報を予め定められた文字列に変換してアルバムタイトル候補として保持させ、該ＦＡＴデータ又は該Ｅｘｉｆデータにテキストデータとして保持されている画像タイトル情報、撮影者情報、又は機器情報をテキストデータのまま該アルバムタイトル候補として保持させ、
前記入力部を介して一又は複数の該アルバムタイトル候補が選択されたことに応じて、選択された該アルバムタイトル候補を該アルバムタイトルファイルに該アルバムタイトルとして保持させ、
前記画像表示部に、前記アルバムタイトルファイルに基づいて前記電子アルバムを表示させることを特徴とした請求項１に記載の画像フォルダ伝送再生装置。
【請求項３】
前記制御部は、
前記画像フォルダ内に前記アルバム化フォルダを作成するとき、該アルバム化フォルダ内に、前記画像表示部に表示される前記電子アルバムのアルバムレイアウトの情報を保持するレイアウトファイルと、前記入力部を介して入力される任意のテキストを保持するテキストファイルとをさらに作成し、
該レイアウトファイルに、該アルバムレイアウトのテンプレートとして複数のアルバムレイアウト候補を保持させ、該入力部を介して選択された該アルバムレイアウト候補を該アルバムレイアウトとして保持させ、該画像表示部に表示される該画像ファイル、該アルバムタイトル、又は該テキストの位置又は範囲を保持させ、
該テキストファイルに、前記アルバムタイトル又は該テキストについてのフォントパターンを複数保持させ、該入力部を介して選択された該フォントパターンと該入力部を介して入力されたフォントの大きさとを該アルバムタイトル又は該テキストと関連付けて保持させ、
該画像表示部に、該レイアウトファイル及び該テキストファイルに基づいて該電子アルバムを表示させることを特徴とする請求項２に記載の画像フォルダ伝送再生装置。
【請求項４】
前記制御部は、
前記入力部を介して前記画像フォルダを検索する命令が入力されたことに応じて、前記アルバムタイトルファイル又は前記テキストファイルに保持される文字列を該画像フォルダと関連付けて前記画像表示させ、該入力部を介して該画像フォルダが選択されたことに応じて、前記電子アルバムを該画像表示部に表示させることを特徴とする請求項２又は３に記載の画像フォルダ伝送再生装置。
【請求項５】
請求項１に記載の画像フォルダ伝送再生装置に用いられる記憶装置において、
前記画像フォルダ伝送再生装置が接続される画像フォルダ伝送再生装置接続部と、前記画像フォルダ及び前記表示プログラムを記憶する画像記憶部と、を備えたことを特徴とする記憶装置。
【請求項６】
請求項１に記載の画像フォルダ伝送再生装置に用いられ、前記記憶装置に接続されるアダプタ装置において、
前記画像フォルダ伝送再生装置が接続される画像フォルダ伝送再生装置接続部と、前記記憶装置が接続される記憶装置接続部と、前記表示プログラムを記憶するプログラム記憶部と、を備えたことを特徴とするアダプタ装置。
【請求項７】
画像フォルダに保持された画像ファイル又は文字を表示する画像表示部と、ユーザによって該文字または操作命令が入力される入力部と、装置全体を制御する制御部と、該画像フォルダ伝送再生装置を制御する制御プログラムを記憶する記憶部と、有線通信又は無線通信によって前記画像フォルダを送受信する通信部とを備えたコンピュータを用いて該画像ファイルを表示する画像フォルダ伝送再生プログラムにおいて、
前記制御部に、
前記記憶装置が前記記憶装置接続部に接続されるか、前記通信部が前記画像フォルダを受信したことに応じて、
該画像フォルダ内に、該画像フォルダに保持された該画像ファイル及び該画像ファイルの属性情報を該画像フォルダ単位で電子アルバムとして前記画像表示部に表示させるためのアルバム化フォルダが存在するか否かを判定させるステップと、
該画像フォルダ内にアルバム化フォルダが存在しないとき、該画像フォルダ内に該アルバム化フォルダを作成させるステップと、
該画像フォルダ内に該アルバム化フォルダが存在するとき、該アルバム化フォルダに保持される情報に基づいて、該電子アルバムを該画像表示部に表示させるステップと、をコンピュータに実行させることを特徴とした画像フォルダ伝送再生プログラム。
【請求項８】
前記属性情報は、前記画像ファイルのＦＡＴデータ又はＥｘｉｆデータであり、
前記制御部に、
前記画像フォルダ内に前記アルバム化フォルダを作成させるとき、該アルバム化フォルダ内に前記電子アルバムのアルバムタイトルを生成するために用いられるアルバムタイトルファイルを作成させるステップと、
該画像フォルダ内に保持されている前記画像ファイルの中から該画像ファイルを１枚選択させ、該画像ファイルの前記ＦＡＴデータ又は前記Ｅｘｉｆデータを参照させるステップと、
該アルバムタイトルファイルに、該ＦＡＴデータ又は該Ｅｘｉｆデータに数値データとして保持されている日付情報、時刻情報、又はＧＰＳ情報を予め定められた文字列に変換してアルバムタイトル候補として保持させ、該ＦＡＴデータ又は該Ｅｘｉｆデータにテキストデータとして保持されている画像タイトル情報、撮影者情報、又は機器情報をテキストデータのまま該アルバムタイトル候補として保持させるステップと、
前記入力部を介して一又は複数の該アルバムタイトル候補が選択されたことに応じて、選択された該アルバムタイトル候補を該アルバムタイトルファイルに該アルバムタイトルとして保持させるステップと、
前記画像表示部に、前記アルバムタイトルファイルに基づいて前記電子アルバムを表示させるステップと、をコンピュータに実行させることを特徴とした請求項７に記載の画像フォルダ伝送再生プログラム。
【請求項９】
前記制御部に、
前記画像フォルダ内に前記アルバム化フォルダを作成させるとき、該アルバム化フォルダ内に、前記画像表示部に表示される前記電子アルバムのアルバムレイアウトの情報を保持するレイアウトファイルと、前記入力部を介して入力される任意のテキストを保持するテキストファイルとをさらに作成させるステップと、
前記レイアウトファイルに、前記アルバムレイアウトのテンプレートとして複数のアルバムレイアウト候補を保持させ、前記入力部を介して選択された該アルバムレイアウト候補を該アルバムレイアウトとして保持させ、前記画像表示部に表示される前記画像ファイル、前記アルバムタイトル、又は前記テキストの位置又は範囲を保持させるステップと、
前記テキストファイルに、前記アルバムタイトル又は前記テキストについてのフォントパターンを複数保持させ、前記入力部を介して選択された該フォントパターンと該入力部を介して入力されたフォントの大きさとを該アルバムタイトル又は該テキストと関連付けて保持させるステップと、
前記画像表示部に、前記レイアウトファイル及び前記テキストファイルに基づいて前記電子アルバムを表示させるステップと、をコンピュータに実行させることを特徴とした請求項８に記載の画像フォルダ伝送再生プログラム。
【請求項１０】
前記制御部に、
前記入力部を介して前記画像フォルダを検索する命令が入力されたことに応じて、前記アルバムタイトルファイル又は前記テキストファイルに保持される文字列を該画像フォルダと関連付けて前記画像表示させるステップと、
前記入力部を介して前記画像フォルダが選択されたことに応じて、前記電子アルバムを前記画像表示部に表示させるステップと、をコンピュータに実行させることを特徴とした請求項８又は９に記載の画像フォルダ伝送再生プログラム。
【発明の詳細な説明】
【技術分野】
【０００１】
本発明は、名称が変更された画像フォルダ又は画像ファイル、若しくはテキスト情報が付与された画像フォルダ又は画像ファイルであっても、画像フォルダ単位で画像フォルダを伝送表示することができる画像フォルダ伝送再生装置及び画像フォルダ伝送再生プログラムに関する。
【背景技術】
【０００２】
近年、ＤＣＦ（Ｄｅｓｉｇｎ  ｒｕｌｅ  ｆｏｒ  Ｃａｍｅｒａ  Ｆｉｌｅ  ｓｙｓｔｅｍ  ）規格に準拠した記憶装置の大容量化及び低価格化により、ユーザは、デジタルカメラで撮影した画像ファイルを大量に保持することが可能となった。そこで、ユーザは、大量の画像ファイルを保持する画像フォルダ、画像ディレクトリ、又は画像ファイルのクラスタを撮影日やイベントなどに基づいて分割又は分類すること、画像フォルダの名称を変更すること、さらには、画像フォルダに解説記事を付与することなどにより画像フォルダを管理している。画像ファイルを再生する画像再生装置は、画像フォルダが再生互換性を保証するＤＣＦ規格に準拠しない名称に変更された場合、この画像フォルダに保持される画像ファイルを再生することができなかった。このような問題を解消するために、画像フォルダであるディレクトリに対して、ＤＣＦ規格に準拠しないディレクトリ名を付与した場合であっても画像ファイルを再生できる手段が提案されている。またＥｘｉｆ（Ｅｘｃｈａｎｇｅａｂｌｅ  ｉｍａｇｅ  ｆｉｌｅ  ｆｏｒｍａｔ  ｆｏｒ  ｄｉｇｉｔａｌ  ｓｔｉｌｌ  ｃａｍｅｒａｓ）データから取得した解説記事を画像ファイルと共に画像表示部に表示させる手段が提案されている。【０００３】
例えば、ディレクトリにＤＣＦ規格に準拠しないディレクトリ名が付与された場合、ＤＣＦ規格に準拠したディレクトリ名の他に、ＤＣＦ規格に準拠しない第２のディレクトリ名を保持する管理ファイルを作成する画像再生装置が知られている（例えば、特許文献１参照）。【０００４】
また、例えば、ユーザによって任意の文字例が入力されることにより、ディレクトリ名がＤＣＦ規格に準拠しないに名称に変更された場合、改めてＤＣＦ準拠するディレクトリ名をそのディレクトリに自動付与して再生互換性を保証することにより、画像を再生する画像データ表示システムが提案されている（特許文献２参照）。【０００５】
さらに、例えば、画像を再生する際、フォルダ名を変更し、かつ画像とともに画像に付与された解説記事を再生するフォトアルバムコントローラが提案されている（特許文献３参照）。【０００６】
しかしながら、特許文献１に示される技術においては、画像を保持するディレクトリ名が既にＤＣＦに準拠しない名称に変更されている場合には、画像を再生することができなかった。【０００７】
また、特許文献２に示される技術においては、ユーザがディレクトリ名を変更した場合であっても、再生互換性を保証するために、ユーザの意思に反してディレクトリ名が変更されるという問題があった。【０００８】
さらに、特許文献３に示される技術においては、複数の画像を保持する画像フォルダに対して解説記事が付与されるものではなく、各画像に対して解説記事が付与されていたため、画像フォルダ単位での解説記事を表示することができなかった。
【先行技術文献】
【特許文献】
【０００９】
【特許文献１】特開２００７−３０６４０３号公報
【特許文献２】特許第４４１６８３６号公報
【特許文献３】特許第４３０９４６８号公報
【発明の概要】
【発明が解決しようとする課題】
【００１０】
本発明は、上記の問題を解決するためになされたものであり、複数画像ファイルのクラスタである画像フォルダが伝送された際、画像フォルダ伝送再生装置又は記憶装置に記憶されている画像フォルダの名称がＤＣＦ規格に準拠しているか否かに関わらず、画像フォルダ伝送再生装置に画像ファイルを表示させることができ、さらには、画像フォルダ伝送再生装置に表示される画像ファイル及びテキストの位置や大きさを設定することができる画像フォルダ伝送再生装置を提供することを目的とする。
【課題を解決するための手段】
【００１１】
上記の目的を達成するために本発明は、画像フォルダに保持された画像ファイル又は文字を表示する画像フォルダ伝送再生装置において、画像フォルダ伝送再生装置は、画像ファイル又は文字を表示する画像表示部と、ユーザによって文字または操作命令が入力される入力部と、装置全体を制御する制御プログラムを記憶する記憶部と、画像フォルダを記憶する記憶装置が接続される記憶装置接続部と、有線通信又は無線通信によって画像フォルダを送受信する通信部とを備え、記憶部は、画像フォルダに保持された画像ファイル及び画像ファイルの属性情報を画像表示部に表示させる表示プログラムを記憶し、制御部は、記憶装置が記憶装置接続部に接続されるか、通信部が画像フォルダを受信したことに応じて、画像フォルダ内に、画像フォルダに保持された画像ファイル及び画像ファイルの属性情報を画像フォルダ単位で電子アルバムとして画像表示部に表示させるためのアルバム化フォルダが存在するか否かを判定し、画像フォルダ内にアルバム化フォルダが存在しないとき、画像フォルダ内にアルバム化フォルダを作成し、画像フォルダ内にアルバム化フォルダが存在するとき、アルバム化フォルダに保持される情報に基づいて、電子アルバムを画像表示部に表示させる。【００１２】
本発明によれば、画像表示装置及び記憶装置に記憶されている画像フォルダにアルバム化フォルダを保持させることにより、画像フォルダの名称がＤＣＦ規格に準拠していない場合であっても、画像表示部に電子アルバムを表示させることができる。【００１３】
属性情報は、画像ファイルのＦＡＴ（Ｆｉｌｅ  Ａｌｌｏｃａｔｉｏｎ  Ｔａｂｌｅ）データ又はＥｘｉｆ（Ｅｘｃｈａｎｇｅａｂｌｅ  Ｉｍａｇｅ  Ｆｉｌｅ  Ｆｏｒｍａｔ）データであり、制御部は、画像フォルダ内にアルバム化フォルダを作成するとき、アルバム化フォルダ内に電子アルバムのアルバムタイトルを生成するために用いられるアルバムタイトルファイルを作成し、画像フォルダ内に保持されている画像ファイルの中から画像ファイルを１枚選択し、画像ファイルのＦＡＴデータ又はＥｘｉｆデータを参照し、アルバムタイトルファイルに、ＦＡＴデータ又はＥｘｉｆデータに数値データとして保持されている日付情報、時刻情報、又はＧＰＳ情報を予め定められた文字列に変換してアルバムタイトル候補として保持させ、ＦＡＴデータ又はＥｘｉｆデータにテキストデータとして保持されている画像タイトル情報、撮影者情報、又は機器情報をテキストデータのままアルバムタイトル候補として保持させ、入力部を介して一又は複数のアルバムタイトル候補が選択されたことに応じて、選択されたアルバムタイトル候補をアルバムタイトルファイルにアルバムタイトルとして保持させ、画像表示部に、アルバムタイトルファイルに基づいて電子アルバムを表示させる。【００１４】
本発明によれば、アルバム化フォルダ内にアルバムタイトルファイルを作成することにより、ユーザは、画像ファイルとアルバムタイトルとを電子アルバムとして画像表示部に表示させることができる。また、アルバムタイトルファイルは、画像ファイルのＦＡＴデータ又はＥｘｉｆデータに基づいて作成されるため、ユーザは、所望するアルバムタイトルを容易に作成することができる。【００１５】
また、本発明は、上述の改良された発明において、制御部は、画像フォルダ内にアルバム化フォルダを作成するとき、アルバム化フォルダ内に、電子アルバムが画像表示部に表示されるアルバムレイアウトの情報を保持するレイアウトファイルと、入力部を介して入力される任意のテキストを保持するテキストファイルとをさらに作成し、レイアウトファイルに、アルバムレイアウトのテンプレートとして複数のアルバムレイアウト候補を保持させ、入力部を介して選択されたアルバムレイアウト候補をアルバムレイアウトとして保持させ、画像表示部に表示される画像ファイル、アルバムタイトル、又はテキストの位置又は範囲を保持させ、テキストファイルに、アルバムタイトル又はテキストについてのフォントパターンを複数保持させ、入力部を介して選択されたフォントパターンと入力部を介して入力されたフォントの大きさとをアルバムタイトル又はテキストと関連付けて保持させ、画像表示部に、レイアウトファイル及びテキストファイルに基づいて電子アルバムを表示させる。【００１６】
本発明によれば、レイアウトファイルは、複数のアルバムレイアウト候補を保持しているため、ユーザは、画像表示部に表示にされる画像ファイル、アルバムタイトル、又は任意のテキストついてのレイアウトを簡便に決定することができる。また、ユーザは、画像表示部に表示される画像ファイル、アルバムタイトル、又はテキストの位置や範囲をレイアウトファイルに保持させることにより、好みのレイアウトを作成することができる。【００１７】
また、本発明は、上述の改良された発明において、制御部は、入力部を介して画像フォルダを検索する命令が入力されたことに応じて、アルバムタイトルファイル又はテキストファイルに保持される文字列を画像フォルダと関連付けて画像表示させ、入力部を介して画像フォルダが選択されたことに応じて、電子アルバムを画像表示部に表示させる。【００１８】
本発明によれば、ユーザは、馴染みのある文字列に基づいて画像フォルダを検索することができる。これにより、ユーザは、所望する電子アルバムを迅速に画像表示部に表示させることができる。【００１９】
また、本発明は、上述の改良された発明において、画像フォルダ伝送再生装置に用いられる記憶装置において、画像フォルダ伝送再生装置が接続される画像フォルダ伝送再生装置接続部と、画像フォルダ及び表示プログラムを記憶する画像記憶部と、を備える。【００２０】
本発明によれば、画像フォルダ伝送再生装置の構成に関わらず、記憶装置に記憶された画像フォルダを電子アルバムとして画像フォルダ伝送再生装置に表示させることができる。【００２１】
また、本発明は、上述の改良された発明において、画像フォルダ伝送再生装置に用いられ、記憶装置に接続されるアダプタ装置において、画像フォルダ伝送再生装置が接続される画像フォルダ伝送再生装置接続部と、記憶装置が接続される記憶装置接続部と、表示プログラムを記憶するプログラム記憶部と、を備える。【００２２】
本発明によれば、画像フォルダ伝送再生装置及び記憶装置の構成に関わらず、記憶装置に記憶された画像フォルダを電子アルバムとして画像フォルダ伝送再生装置に表示させることができる。【００２３】
また、本発明は、上述の改良された発明において、画像フォルダに保持された画像ファイル又は文字を表示する画像表示部と、ユーザによって文字または操作命令が入力される入力部と、装置全体を制御する制御部と、画像フォルダ伝送再生装置を制御する制御プログラムを記憶する記憶部と、有線通信又は無線通信によって画像フォルダを送受信する通信部とを備えたコンピュータを用いて画像ファイルを表示する画像フォルダ伝送再生プログラムにおいて、制御部に、記憶装置が記憶装置接続部に接続されるか、通信部が画像フォルダを受信したことに応じて、画像フォルダ内に、画像フォルダに保持された画像ファイル及び画像ファイルの属性情報を画像フォルダ単位で電子アルバムとして画像表示部に表示させるためのアルバム化フォルダが存在するか否かを判定させるステップと、画像フォルダ内にアルバム化フォルダが存在しないとき、画像フォルダ内にアルバム化フォルダを作成させるステップと、画像フォルダ内にアルバム化フォルダが存在するとき、アルバム化フォルダに保持される情報に基づいて、電子アルバムを画像表示部に表示させるステップと、をコンピュータに実行させる。【００２４】
本発明によれば、ユーザは、コンピュータを用いて、画像フォルダ伝送再生装置及び記憶装置に記憶されている画像フォルダにアルバム化フォルダを保持させることにより、画像フォルダの名称がＤＣＦ規格に準拠していない場合であっても、画像表示部に画像ファイルを表示させることができる。【００２５】
また、本発明は、上述の改良された発明において、属性情報は、画像ファイルのＦＡＴデータ又はＥｘｉｆデータであり、制御部に、画像フォルダ内にアルバム化フォルダを作成させるとき、アルバム化フォルダ内に電子アルバムのアルバムタイトルを生成するために用いられるアルバムタイトルファイルを作成させるステップと、画像フォルダ内に保持されている画像ファイルの中から画像ファイルを１枚選択させ、画像ファイルのＦＡＴデータ又はＥｘｉｆデータを参照させるステップと、アルバムタイトルファイルに、ＦＡＴデータ又はＥｘｉｆデータに数値データとして保持されている日付情報、時刻情報、又はＧＰＳ情報を予め定められた文字列に変換してアルバムタイトル候補として保持させ、ＦＡＴデータ又はＥｘｉｆデータにテキストデータとして保持されている画像タイトル情報、撮影者情報、又は機器情報をテキストデータのままアルバムタイトル候補として保持させるステップと、入力部を介して一又は複数のアルバムタイトル候補が選択されたことに応じて、選択されたアルバムタイトル候補をアルバムタイトルファイルにアルバムタイトルとして保持させるステップと、画像表示部に、アルバムタイトルファイルに基づいて電子アルバムを表示させるステップと、をコンピュータに実行させる。【００２６】
本発明によれば、ユーザは、コンピュータを用いて、アルバム化フォルダ内にアルバムタイトルファイルを作成することにより、ユーザは、画像ファイルとアルバムタイトルとを電子アルバムとして画像表示部に表示させることができる。また、ユーザは、コンピュータを用いて、画像ファイルのＦＡＴデータ又はＥｘｉｆデータに基づいてアルバムタイトルファイルを作成することにより、所望するアルバムタイトルを容易に作成することができる。【００２７】
また、本発明は、上述の改良された発明において、制御部に、画像フォルダ内にアルバム化フォルダを作成させるとき、アルバム化フォルダ内に、電子アルバムが画像表示部に表示されるアルバムレイアウトの情報を保持するレイアウトファイルと、入力部を介して入力される任意のテキストを保持するテキストファイルとをさらに作成させるステップと、レイアウトファイルに、アルバムレイアウトのテンプレートとして複数のアルバムレイアウト候補を保持させ、入力部を介して選択されたアルバムレイアウト候補をアルバムレイアウトとして保持させ、画像表示部に表示される画像ファイル、アルバムタイトル、又はテキストの位置又は範囲を保持させるステップと、テキストファイルに、アルバムタイトル又はテキストについてのフォントパターンを複数保持させ、入力部を介して選択されたフォントパターンと入力部を介して入力されたフォントの大きさとをアルバムタイトル又はテキストと関連付けて保持させるステップと、画像表示部に、レイアウトファイル及びテキストファイルに基づいて電子アルバムを表示させるステップと、をコンピュータに実行させる。【００２８】
本発明によれば、ユーザは、コンピュータを用いて、レイアウトファイルは、複数のアルバムレイアウト候補を保持しているため、ユーザは、画像表示部に表示にされる画像ファイル、アルバムタイトル、又は任意のテキストについてのレイアウトを簡便に決定することができる。また、ユーザは、コンピュータを用いて、画像表示部に表示される画像ファイル、アルバムタイトル、又はテキストの位置や範囲をレイアウトファイルに保持させることにより、好みのレイアウトを作成することができる。【００２９】
また、本発明は、上述の改良された発明において、制御部に、入力部を介して画像フォルダを検索する命令が入力されたことに応じて、アルバムタイトルファイル又はテキストファイルに保持される文字列を画像フォルダと関連付けて画像表示させるステップと、入力部を介して画像フォルダが選択されたことに応じて、電子アルバムを画像表示部に表示させるステップと、をコンピュータに実行させる。【００３０】
本発明によれば、ユーザは、コンピュータを用いて、馴染みのある文字列に基づいて画像フォルダを検索することができる。これにより、ユーザは、所望する電子アルバムを迅速に画像表示部に表示させることができる。
【図面の簡単な説明】
【００３１】
【図１】本発明の第１の実施形態に係る画像フォルダ伝送再生装置の構成図。
【図２】本実施形態に係る画像表示部における表示状態を示す図。
【図３】本実施形態に係る画像フォルダの構成図。
【図４】本実施形態に係るアルバムタイトルファイルの構成図。
【図５】本実施形態に係るレイアウトファイルの構成図。
【図６】本実施形態に係るテキストファイルの構成図。
【図７】（ａ）（ｂ）は本実施形態に係るレイアウト選択画面の状態を示す図。
【図８】（ａ）（ｂ）は本実施形態に係るアルバムタイトル選択画面の状態を示す図。
【図９】（ａ）（ｂ）は本実施形態に係るテキスト入力画面の状態を示す図。
【図１０】本実施形態に係る画像フォルダ検索画面の状態を示す図。
【図１１】本実施形態に係る電子アルバムが表示される処理のフローチャート。
【図１２】本発明の第２の実施形態に係る記憶装置の構成図。
【図１３】本発明の第３の実施形態に係るアダプタ装置の構成図。
【符号の説明】
【００３２】
１  画像フォルダ伝送再生装置
２  ＣＰＵ（制御部）
３  制御プログラム
５  モニタ（画像表示部）
４  記憶部
７  入力部
１０  接続コネクタ（記憶装置接続部）
１３  アンテナ（通信部）
１６  通信コネクタ（通信部）
２８  接続コネクタ（画像フォルダ伝送再生置接続部）
３０  画像フォルダ
３１  画像記憶部
３３  画像ファイル
３４  アルバム化フォルダ
３６  表示プログラム
４１  電子アルバム
４３  アルバムタイトル
５１  アルバムタイトルファイル
５２  レイアウトファイル
５３  テキストファイル
５４  アルバムタイトル候補
５５  アルバムレイアウト候補
５７  アルバムレイアウト
５９  フォントパターン
７０  アダプタ装置
７１  プログラム記憶部
７２  接続コネクタ（画像フォルダ伝送再生装置接続部）
７３  接続コネクタ（記憶装置接続部）
【発明を実施するための形態】
【００３３】
以下、本発明の第１の実施形態に係る画像フォルダ伝送再生装置について、図面を参照して説明する。図１は、本実施形態に係る画像フォルダ伝送再生装置１の構成を示す。画像フォルダ伝送再生装置１は、装置全体を制御するＣＰＵ２（制御部）と、装置全体を制御する制御プログラム３を記憶する記憶部４と、画像又は文字を表示するモニタ５（画像表示部）と、モニタ５を制御するモニタ制御部６と、制御命令が入力される入力部７と、入力部７を制御する入力制御部８と、記憶装置９が接続される接続コネクタ１０（記憶装置接続部）と、接続コネクタ１０を制御する接続コネクタ制御部１１と、無線信号１２を送受信するアンテナ１３と、ＬＡＮケーブル１４を介してインターネット１５に接続される通信コネクタ１６と、アンテナ１３（通信部）及び通信コネクタ１６（通信部）を制御する通信コネクタ制御部１７と、画像や映像を撮影するカメラ撮像部１８を制御するカメラ制御部１９と、ＧＰＳ（Ｇｌｏｂａｌ  Ｐｏｓｉｔｉｏｎｉｎｇ  Ｓｙｓｔｅｍ）を用いて画像フォルダ伝送再生装置１の位置を検出する位置センサ２０と、位置センサ２０を制御する位置センサ制御部２１と、メモリーカード２２が挿入されるメモリーカードスロット２３と、メモリーカードスロット２３を制御するメモリーカードスロット制御部２４と、スピーカ２５を制御するスピーカ制御部２６とを備え、これらはバス２７に接続されている。
【００３４】
記憶装置９は、画像フォルダ伝送再生装置１が接続される接続コネクタ２８（画像フォルダ伝送再生装置接続部）と、接続コネクタ２８を制御する接続コネクタ制御部２９と、一又は複数の画像フォルダ３０を記憶する画像記憶部３１とを備え、これらはバス３２に接続されている。各画像フォルダ３０は、デジタルカメラやデジタルビデオカメラで撮影された一又は複数の画像ファイル３３と、画像ファイル３３が電子アルバムとしてモニタ５に表示されるときに用いられるアルバム化フォルダ３４とを保持する。画像フォルダ伝送再生装置１は、例えば、ＵＳＢケーブル３５を介して、記憶装置９に接続される。記憶部４は、アルバム化フォルダ３４に保持される情報に基づいて、画像ファイル３３をモニタ５に表示させる表示プログラム３６を記憶する。モニタ５は、タッチパネル機能を備え、入力部７は、例えば、キーボード、マウス、タブレット、又はモニタ５が備えるタッチパネルである。
【００３５】
画像フォルダ伝送再生装置１は、例えば、アンテナ１３を介してスマートフォン３７又はデジタルテレビ３８と接続することができる。また、画像フォルダ伝送再生装置１は、インターネット１５を介して、例えば、デジタルフォトフレーム３９又は画像フォルダサーバ４０と接続することができる。ここで、画像フォルダサーバ４０とは、多数の画像フォルダ３０を記憶し、画像フォルダ伝送再生装置１、スマートフォン３７、デジタルテレビ３８、又はデジタルフォトフレーム３９からの要求に応じて、画像フォルダ３０を送受信するサーバである。本実施形態において、画像フォルダ伝送再生装置１に接続されるスマートフォン３７、デジタルテレビ３８、デジタルフォトフレーム３９、又は画像フォルダサーバ４０は、画像フォルダ伝送再生装置１と同様の構成を備えることが望ましい。
【００３６】
ＣＰＵ２は、アルバム化フォルダ３４を参照することにより、記憶装置９に記憶された画像ファイル３３を電子アルバムとしてモニタ５に表示させる。ここで、モニタ５は、電子アルバムとして画像ファイル３３を画像フォルダ３０単位で表示するものとする。ＣＰＵ２がアルバム化フォルダ３４を参照することにより、モニタ５は、画像フォルダ３０の名称がＤＣＦ規格に準拠しているか否かに関わらず、電子アルバムを表示することができる。また、ＣＰＵ２は、モニタ５に表示される電子アルバムのレイアウトが、ユーザによって設定されたことに応じて、設定されたレイアウトに関する情報をアルバム化フォルダ３４に保持させる。これにより、ユーザは、好みのレイアウトで電子アルバムをモニタ５に表示させることができる。
【００３７】
さらに、ＣＰＵ２は、ユーザによって、入力部７を介して任意のテキストが入力されたことに応じて、画像フォルダ３０と任意のテキストを関連付ける。これにより、ユーザは、電子アルバムとともに任意のテキストをモニタ５に表示させることができる。記憶装置９に記憶された画像フォルダ３０が、記憶部４、メモリーカード２２、携帯電話３４、又はデジタルフォトフレーム３９にコピーされる場合、ＣＰＵ２は、画像ファイル３３とともに、アルバム化フォルダ３４をコピーする。これにより、画像フォルダ伝送再生装置１は、記憶部４、メモリーカード２２、携帯電話３４、又はデジタルフォトフレーム３９に記憶される画像フォルダ３０を電子アルバムとして表示することができる。
【００３８】
図２は、本実施形態に係るモニタ５における表示状態の一例を示す。モニタ５は、画像ファイル３３を電子アルバム４１として表示する。電子アルバム４１は、画像ファイル３３を画像フォルダ３０単位で表示する。これにより、ユーザは、膨大な量の画像ファイル３３を画像フォルダ３０単位で鑑賞及び管理することができる。電子アルバム４１は、画像ファイル３３を表示する画像表示窓４２と、電子アルバム４１のアルバムタイトル４３を表示するタイトル表示窓４４と、ユーザによって電子アルバム４１に付与されたテキスト４５を表示するテキスト表示窓４６と、ユーザによって電子アルバム４１に付与されたメッセージ４７を右側から左側へ移動させながら表示するメッセージ表示窓４８とを表示する。画像表示窓４２は、画像ファイル３３に重ねてオーバーレイ図形４９を表示する。オーバーレイ図形４９は、ユーザによって付与された台詞５０を表示する。
【００３９】
画像表示窓４２に表示される画像ファイル３３は、例えば、画像フォルダ３０に保持される複数の画像ファイル３３の内、撮影日時が最も古い画像ファイル３３である。ユーザは、入力部７を介してテキスト４５を入力することにより、電子アルバム４１についての解説や補足情報をテキスト表示窓４６に表示させることができる。また、ユーザは、入力部７を介してメッセージ４７を入力することにより、動きのあるメッセージ４７をメッセージ表示窓４８に表示させることができる。さらに、ユーザは、入力部７を介して台詞５０を入力することにより、画像ファイル３３、オーバーレイ図形４９、及び台詞５０を組合せて画像表示窓４２に表示させることができる。
【００４０】
図３は、本実施形態に係る画像フォルダ３０の構成を示す。ここで、記憶装置９は、画像フォルダ３０として、画像フォルダ３０ａ乃至３０ｃを記憶しているものとする。画像フォルダ３０ａは、ＤＣＦ規格に準拠したフォルダ名「１０１ＡＢＣＤＥ」が付与されている。画像フォルダ３０ｂ及び３０ｃは、ＤＣＦ規格に準拠しないフォルダ名「ハワイ諸島」及び「結婚記念日」が付与されている。画像フォルダ３０ａは、アルバム化フォルダ３４ａと複数の画像ファイル３３ａを保持している。画像フォルダ３０ｂは、アルバム化フォルダ３４ｂと複数の画像ファイル３３ｂを保持している。画像フォルダ３０ｃは、複数の画像ファイル３３ｃを保持している。
【００４１】
アルバム化フォルダ３４ａ及び３４ｂは、それぞれアルバムタイトルファイル５１ａ及び５１ｂと、レイアウトファイル５２ａ及び５２ｂと、テキストファイル５３ａ及び５３ｂとを保持する。アルバムタイトルファイル５１ａ及び５１ｂは、タイトル表示窓４４に表示されるアルバムタイトル４３に関する情報を保持する。レイアウトファイル５２ａ及び５２ｂは、モニタ５に表示される電子アルバム４１のレイアウトに関する情報を保持する。テキストファイル５３ａ及び５３ｂは、テキスト表示窓４６、メッセージ表示窓４８、又はオーバーレイ図形４９にそれぞれ表示されるテキスト４５、メッセージ４７、又は台詞５０に関する情報を保持する。
【００４２】
通常のデジタルフォトフレームは、ＤＣＦ規格に準拠しない名称が付与された画像フォルダ３０に保持された画像ファイル３３を表示することができない。そこで、ＣＰＵ２は、画像フォルダ３０ａ及び２７ｂに保持されるアルバム化フォルダ３４ａ及び３１ｂを参照することにより、画像フォルダ３０ａ及び２７ｂに保持される画像ファイル３３ａ及び３０ｂを画像表示窓４２に表示させる。これにより、ユーザは、ＤＣＦ規格に準拠しないフォルダ名が付与された画像フォルダ３０であっても、電子アルバム４１として画像フォルダ伝送再生装置１に表示させることができる。
【００４３】
ここで、画像フォルダ３０ｃは、アルバム化フォルダ３４を保持していない。ＣＰＵ２は、画像フォルダ３０ｃを電子アルバム４１として画像フォルダ伝送再生装置１に表示させるとき、画像フォルダ３０ｃにアルバム化フォルダ３４が存在しているか否かを判定する。ＣＰＵ２は、画像フォルダ３０ｃにアルバム化フォルダ３４が存在していないとき、画像フォルダ３０ｃ内にアルバム化フォルダ３４を作成する。これにより、画像フォルダ伝送再生装置１は、画像フォルダ３０の名称がＤＣＦ規格に準拠しているか否かに関わらず、電子アルバム４１をモニタ５に表示させることができる。
【００４４】
ここで、アルバム化フォルダ３４は、画像フォルダ３０の直下に保持され、アルバムタイトルファイル５１、レイアウトファイル５２、及びテキストファイル５３は、アルバム化フォルダ３４の直下に保持されるものとする。これにより、画像フォルダ伝送再生装置１は、記憶装置９、メモリーカード２２、デジタルフォトフレーム３９、スマートフォン３７、デジタルテレビ３８、又は画像フォルダサーバ４０との間で送受信された画像フォルダ３０に保持されるアルバムタイトルファイル５１、レイアウトファイル５２、及びテキストファイル５３を迅速かつ確実に参照することができる。画像フォルダ伝送再生装置１は、画像フォルダ３０におけるアルバムタイトルファイル５１、レイアウトファイル５２、及びテキストファイル５３を確実に参照することができるので、他の機器に記憶されている画像フォルダ３０であっても電子アルバム４１としてモニタ５に表示する互換性を有することが可能となる。
【００４５】
次に、アルバム化フォルダ３４に保持されるアルバムタイトルファイル５１について説明する。図４は、本実施形態に係るアルバムタイトルファイル５１の構成の一例を示す。アルバムタイトルファイル５１は、タイトル表示窓４４に表示されるアルバムタイトル４３を作成するためのファイルである。アルバムタイトルファイル５１は、アルバムタイトル４３の候補となる複数のアルバムタイトル候補５４と、ユーザによって、複数のアルバムタイトル候補５４の中から選択されたアルバムタイトル４３とを保持する。アルバムタイトル候補５４は、画像表示窓４２に表示される画像ファイル３３についての撮影日時５４ａ、撮影場所５４ｂ、撮影者５４ｃ、日時属性５４ｄ、撮影モード５４ｅ、機器メーカ名５４ｆ、機器モデル名５４ｇ、及び画像タイトル５４ｈである。
【００４６】
ＣＰＵ２は、画像ファイル３３のＦＡＴデータを参照する。ＣＰＵ２は、ＦＡＴデータの作成日時情報を予め定められた文字列に変換して撮影日時５４ａとしてアルバムタイトルファイル５１に保持させる。このとき、ＣＰＵ２は、参照した作成日日時情報についての日時属性が予め設定されているとき、設定されている日時属性を日時属性５４ｄとしてアルバムタイトルファイル５１に保持させる。例えば、８月８日の日時属性５４ｄが、「夏休み」として設定されている場合、ＣＰＵ２は、作成日時情報が２０１０年８月８日であるとき、日時属性５４ｄを「夏休み」とする。
【００４７】
次に、ＣＰＵ２は、画像ファイル３３のＥｘｉｆデータを参照する。ＣＰＵ２は、ＥｘｉｆデータのＧＰＳ情報を予め定められた文字列に変換して撮影場所５４ｂとしてアルバムタイトルファイル５１に保持させる。また、ＣＰＵ２は、Ｅｘｉｆデータの作成者情報、撮影モード情報、機器メーカ名情報、機器モデル名情報、及び画像タイトル情報を、それぞれ撮影者５４ｃ、撮影モード５４ｅ、機器メーカ名５４ｆ、機器モデル名５４ｇ、及び画像タイトル５４ｈとしてアルバムタイトルファイル５１に保持させる。
【００４８】
ＣＰＵ２は、ユーザによって、入力部を介して選択された一又は複数のアルバムタイトル候補５４をアルバムタイトル４３としてアルバムタイトルファイル５１に保持させる。これにより、ユーザは、ＣＰＵ２によって作成されたアルバムタイトル候補５４の中から一又は複数のアルバムタイトル候補５４を選択することにより、容易にアルバムタイトル４３を作成することができる。
【００４９】
次に、アルバム化フォルダ３４に保持されるレイアウトファイル５２について説明する。図５は、本実施形態に係るレイアウトファイル５２の構成の一例を示す。レイアウトファイル５２は、電子アルバム４１のレイアウトを決定するためのファイルである。レイアウトファイル５２は、画像表示窓４２やタイトル表示窓４４についてのレイアウトのサンプルを複数保持するアルバムレイアウト候補５５と、画像ファイル３３に重ねられるオーバーレイ図形４９のサンプルを複数保持するオーバーレイ図形候補５６と、ユーザによって設定された電子アルバム４１のレイアウトを保持するアルバムレイアウト５７と、アルバムレイアウト５７を構成する画像表示窓４２、タイトル表示窓４４、テキスト表示窓４６、メッセージ表示窓４８、及びオーバーレイ図形４９の位置及び範囲を保持するパーツ属性５８とを保持する。パーツ属性５８は、画像表示窓４２やタイトル表示窓４４などの位置及び範囲として、例えば、ピクセルで表現された座標及び長さを保持する。
【００５０】
ＣＰＵ２は、ユーザによって、入力部７を介して選択されたアルバムレイアウト候補５５をアルバムレイアウト５７としてレイアウトファイル５２に保持させる。ＣＰＵ２は、ユーザによって、入力部７を介してオーバーレイ図形候補５６が選択されたときは、選択されたオーバーレイ図形候補５６をオーバーレイ図形４９としてアルバムレイアウト５７に保持させる。ユーザは、入力部７を介して画像表示窓４２やタイトル表示窓４４などの位置又は範囲を調整することができる。
【００５１】
画像表示窓４２やタイトル表示窓４４などの位置及び範囲は、パーツ属性５８として画像表示窓４２、タイトル表示窓４４、テキスト表示窓４６、メッセージ表示窓４８、及びオーバーレイ図形４９と関連付けて保持される。これにより、ユーザは、好みのレイアウトで電子アルバム４１をモニタ５に表示させることができる。また、ユーザは、画像ファイル３３にオーバーレイ図形４９を重ねた状態で電子アルバム４１を鑑賞することができる。
【００５２】
次に、アルバム化フォルダ３４に保持されるテキストファイル５３について説明する。図６は、本実施形態に係るテキストファイル５３の構成の一例を示す。テキストファイル５３は、アルバムタイトル４３、テキスト４５、メッセージ４７、及び台詞５０のフォントとフォントの大きさを決定するファイルである。また、テキストファイル５３は、テキスト表示窓４６、メッセージ表示窓４８、及びオーバーレイ図形４９にそれぞれ表示されるテキスト４５、メッセージ４７、及び台詞５０の内容を保持する。
【００５３】
テキストファイル５３は、複数のフォントの種類を保持するフォントパターン５９と、アルバムタイトル４３、テキスト４５、メッセージ４７、及び台詞５０の属性を保持するテキスト属性６０とを保持する。ＣＰＵ２は、ユーザによって、入力部を介して決定されたフォントとフォントの大きさをアルバムタイトル４３、テキスト４５、メッセージ４７、及び台詞５０に関連付けてテキスト属性６０としてテキストファイル５３に保持させる。
【００５４】
また、ＣＰＵ２は、ユーザによって、入力部を介して入力された文字列をテキスト４５、メッセージ４７、及び台詞５０に関連付けてテキスト属性６０としてテキストファイル５３に保持させる。これにより、ユーザは、好みのフォント及びフォントの大きさにより、入力した文字列をテキスト表示窓４６、メッセージ表示窓４８、及びオーバーレイ図形４９に表示させることができる。また、ユーザは、タイトル表示窓４４にアルバムタイトル４３を好みのフォント及びフォントの大きさで表示させることができる。
【００５５】
次に、ユーザによって、電子アルバム４１のレイアウトが選択される手順について説明する。図７（ａ）（ｂ）は、本実施形態に係るレイアウト選択画面６１の一例を示す。図７（ａ）は、レイアウト選択画面６１の構成を示し、図７（ｂ）は、ユーザによって決定されたアルバムレイアウト５７の構成を示す。図７（ａ）において、ＣＰＵ２は、画像フォルダ３０のアルバム化フォルダ３４内に、レイアウトファイル５２を作成するとき、モニタ５にレイアウト選択画面６１を表示させる。レイアウト選択画面６１は、アルバムレイアウト候補５５とオーバーレイ図形候補５６を表示する。
【００５６】
ユーザは、レイアウト選択画面６１に表示されたアルバムレイアウト候補５５及びオーバーレイ図形候補５６から、所望するアルバムレイアウト候補５５又はオーバーレイ図形候補５６を指６２で選択する。ＣＰＵ２は、ユーザによって選択されたアルバムレイアウト候補５５とオーバーレイ図形候補５６をアルバムレイアウト５７としてレイアウトファイル５２に保持させる。また、ＣＰＵ２は、画像表示窓４２、タイトル表示窓４４、テキスト表示窓４６、メッセージ表示窓４８、及びオーバーレイ図形４９の位置及び範囲をパーツ属性５８としてレイアウトファイル５２に保持させる。
【００５７】
図７（ｂ）において、モニタ５は、作成されたアルバムレイアウト５７を表示する。ユーザは、例えば、アルバムレイアウト５７を構成するタイトル表示窓４４を選択し、指６２でドラッグすることにより、タイトル表示窓４４の位置又は範囲を変更することができる。モニタ５は、ユーザの指６２で選択されたタイトル表示窓４４を太い枠で表示する。これにより、ユーザは、選択しているタイトル表示窓４４を容易に認識することができる。ＣＰＵ２は、変更されたタイトル表示窓４４の位置又は範囲を、新たにパーツ属性５８としてレイアウトファイル５２に保持させる。これにより、ユーザは、容易かつ簡便に好みのアルバムレイアウト５７を作成することができる。
【００５８】
次に、ユーザによって、電子アルバム４１のアルバムタイトル４３が選択される手順について説明する。図８（ａ）（ｂ）は、本実施形態に係るアルバムタイトル選択画面６３の一例を示す。図８（ａ）は、アルバムタイトル選択画面６３の構成を示し、図８（ｂ）は、ユーザによってアルバムタイトル候補５４が選択される状態を示す。図８（ａ）において、アルバムタイトル選択画面６３は、ユーザの指６２によってタイトル表示窓４４が選択されると、選択されたタイトル表示窓４４を太い枠で表示する。
【００５９】
次に、図８（ｂ）において、アルバムタイトル選択画面６３は、アルバムタイトルファイル５１に保持されているアルバムタイトル候補一覧６４を表示する。ユーザは、アルバムタイトル候補一覧６４の中から一又は複数のアルバムタイトル候補５４を選択することにより、アルバムタイトル４３を作成する。このとき、アルバムタイトル候補一覧６４は、選択されたアルバムタイトル候補５４の背景色を変化させる。これにより、ユーザは、選択したアルバムタイトル候補５４を確認することができる。ＣＰＵ２は、作成されたアルバムタイトル４３をアルバムタイトルファイル５１に保持させる。これにより、ユーザは、容易かつ簡便に、画像フォルダ３０に応じたアルバムタイトル４３を作成することができる。
【００６０】
次に、ユーザによって、テキスト表示窓４６に表示される文字列が入力される手順について説明する。図９（ａ）（ｂ）は、本実施形態に係るテキスト入力画面６５の一例を示す。図９（ａ）は、テキスト入力画面６５の構成を示し、図９（ｂ）は、ユーザによって、テキスト表示窓４６に表示されるテキスト４５が入力される状態を示す。図９（ａ）において、テキスト入力画面６５は、ユーザの指６２によってテキスト表示窓４６が選択されると、選択されたテキスト表示窓４６を太い枠で表示する。
【００６１】
次に、図９（ｂ）において、テキスト入力画面６５は、ソフトウェアキーボード６６を表示する。ユーザは、ソフトウェアキーボード６６を介してテキスト４５を入力する。ＣＰＵ２は、入力されたテキスト４５をテキスト属性６０としてテキストファイル５３に保持させる。ユーザは、テキスト入力画面６５において、テキスト４５と同様に、メッセージ表示窓４８及びオーバーレイ図形４９を入力することができる。これにより、ユーザは、入力した文字列を電子アルバム４１についての解説や補足情報として、画像ファイル３３とともに鑑賞することができる。
【００６２】
次に、ユーザによって、画像フォルダ３０が検索される画像フォルダ検索画面６７について説明する。図１０は、画像フォルダ検索画面６７の一例を示す。画像フォルダ検索画面６７は、画像フォルダ３０のアルバムタイトル候補５４、テキスト４５、メッセージ４７、及び台詞５０を表示する検索情報表示部６８と、ユーザによって選択された画像フォルダ３０を電子アルバム４１としてモニタ５に表示させる電子アルバム表示ボタン６９とを備える。ＣＰＵ２は、入力部１０を介して画像フォルダ検索画面６７をモニタ５に表示させる命令が入力されたことに応じて、アルバムタイトルファイル５１及びテキストファイル５３を参照する。ＣＰＵ２は、画像フォルダ３０についてのアルバムタイトル候補５４、テキスト４５、メッセージ４７、及び台詞５０を画像フォルダ３０毎に検索情報表示部６８に表示させる。
【００６３】
ユーザは、検索情報表示部６８に表示された文字列を選択することにより、文字列に対応する画像フォルダ３０を選択することができる。ＣＰＵ２は、画像フォルダ３０が選択された後に電子アルバム表示ボタン６９が押下されることにより、選択された画像フォルダ３０を電子アルバム４１としてモニタ５に表示させる。ここで、アルバムタイトル候補５４、テキスト４５、メッセージ４７、及び台詞５０は、ユーザによって入力されたため、ユーザにとって馴染みのある文字列である。ユーザは、画像フォルダ検索画面６７を使用することにより、馴染みのある文字列に基づいて、所望する画像フォルダ３０を迅速かつ容易に検索することができる。
【００６４】
次に、ＣＰＵ２が、電子アルバム４１をモニタ５に表示させる手順について説明する。図１１は、電子アルバム４１がモニタ５に表示される処理のフローを示す。ＣＰＵ２は、記憶装置９に記憶された画像フォルダ３０の電子アルバム４１をモニタ５に表示させる命令が入力部７に入力されると（Ｓ１０１）、画像フォルダ３０内にアルバム化フォルダ３４が存在するか否かを判定する（Ｓ１０２）。ステップＳ１０２において、アルバム化フォルダ３４が存在しなしとき（Ｓ１０２でＮｏ）、ＣＰＵ２は、画像フォルダ３０内にアルバム化フォルダ３４を作成する（Ｓ１０３）。ここで、アルバム化フォルダ３４は、画像フォルダ３０の直下に作成されるものとする。ＣＰＵ２は、アルバム化フォルダ３４を作成するとき、アルバム化フォルダ３４内にアルバムタイトルファイル５１、レイアウトファイル５２、及びテキストファイル５３を作成する。
【００６５】
ＣＰＵ２は、画像フォルダ３０が保持する複数の画像ファイル３３の中から１枚の画像ファイル３３を選択し、選択した画像ファイル３３についてのＦＡＴデータ及びＥｘｉｆデータを参照する（Ｓ１０４）。ここで、選択される画像ファイル３３は、例えば、ＦＡＴデータ及びＥｘｉｆデータに保持される日付及び時刻が最も古い画像ファイル３３である。ＣＰＵ２は、ＦＡＴデータの作成日時情報を予め定められた文字列に変換して撮影日時５４ａとしてアルバムタイトルファイル５１に保持させる（Ｓ１０５）。このとき、ＣＰＵ２は、参照した作成日日時情報について、予め日時属性５４ｄが設定されているとき、設定されている日時属性５４ｄをアルバムタイトルファイル５１に保持させる。
【００６６】
また、ＣＰＵ２は、ＥｘｉｆデータのＧＰＳ情報を予め定められた文字列に変換して撮影場所５４ｂとしてアルバムタイトルファイル５１に保持させる。さらに、ＣＰＵ２は、Ｅｘｉｆデータの作成者情報、撮影モード情報、機器メーカ名情報、機器モデル名情報、及び画像タイトル情報を、それぞれ撮影者５４ｃ、撮影モード５４ｅ、機器メーカ名５４ｆ、機器モデル名５４ｇ、及び画像タイトル５４ｈとしてアルバムタイトルファイル５１に保持させる。
【００６７】
ＣＰＵ２は、モニタ５にレイアウト選択画面６１を表示させる（Ｓ１０６）。ＣＰＵ２は、ユーザによって選択されたアルバムレイアウト候補５５又はオーバーレイ図形候補５６をアルバムレイアウト５７としてレイアウトファイル５２に保持させる（Ｓ１０７）。次に、ＣＰＵ２は、テキスト入力画面６５にテキスト４５、メッセージ４７、又は台詞５０が入力されるか否かを判定する（Ｓ１０８）。テキスト入力画面６５にテキスト４５、メッセージ４７、又は台詞５０が入力されると（Ｓ１０８でＹｅｓ）、ＣＰＵ２は、入力されたテキスト４５、メッセージ４７、又は台詞５０をテキストファイル５３に保持させる（Ｓ１０９）。ステップＳ１０８において、テキスト入力画面６５にテキスト４５、メッセージ４７、及び台詞５０が入力されないとき（Ｓ１０８でＮｏ）、ＣＰＵ２は、ステップＳ１１０の処理を実行する。
【００６８】
ステップＳ１０２において、アルバム化フォルダ３４が存在するとき（Ｓ１０２でＹｅｓ）、ＣＰＵ２は、ステップＳ１１０の処理を実行する。ＣＰＵ２は、アルバム化フォルダ３４が保持する情報に基づいて、電子アルバム４１をモニタ５に表示させる（Ｓ１１０）。これにより、ユーザは、電子アルバム４１にアルバムタイトル４３を容易に付与することできるともに、好みのアルバムレイアウト５７を簡便に作成することができる。また、ユーザは、画像フォルダ３０の名称がＤＣＦ規格に準拠しているか否かに関わらず、電子アルバム４１をモニタ５に表示させることができる。
【００６９】
次に、本発明の第２の実施形態に係る記憶装置９について、図面を参照して説明する。図１２は、本実施形態に係る記憶装置９の構成を示す。記憶装置９は、画像フォルダ伝送再生装置１が接続される接続コネクタ２８と、接続コネクタ２８を制御する接続コネクタ制御部２９と、一又は複数の画像フォルダ３０を記憶する画像記憶部３１とを備え、これらはバス３２に接続されている。画像記憶部３１は、画像フォルダ３０に加え、表示プログラム３６を記憶する。ここで、画像フォルダ伝送再生装置１に具備される記憶部４は、本発明の第１の実施形態と異なり表示プログラム３６を記憶していないものとする。ＣＰＵ２は、表示プログラム３６を具備する記憶装置９が接続コネクタ１０に接続されたことに応じて、表示プログラム３６を動作させる。これにより、ユーザは、画像フォルダ伝送再生装置１が表示プログラム３６を具備していない場合であっても、画像記憶部３１に記憶されている画像フォルダ３０を電子アルバム４１としてモニタ５に表示させることができる。また、記憶装置９は、画像フォルダ伝送再生装置１が、例えば、従来のデジタルテレビやデジタルフォトフレームであっても、記憶装置９が保持する画像フォルダ３０を画像フォルダ伝送に伝送することにより、モニタ５に電子アルバム４１を表示させることができる。
【００７０】
次に、本発明の第３の実施形態に係るアダプタ装置７０について、図面を参照して説明する。図１３は、本実施形態に係るアダプタ装置７０の構成を示す。アダプタ装置７０は、画像フォルダ伝送再生装置１及び記憶装置９に接続される。ここで、画像フォルダ伝送再生装置１に具備される記憶部４は、本発明の第１の実施形態と異なり表示プログラム３６を記憶していないものとする。アダプタ装置７０は、表示プログラム３６を記憶するプログラム記憶部７１と、画像フォルダ伝送再生装置１が接続される接続コネクタ７２（画像フォルダ伝送再生装置接続部）及び記憶装置９が接続される接続コネクタ７３（記憶装置接続部）と、接続コネクタ７２及び接続コネクタ７３を制御する接続コネクタ制御部７４とを備え、これらはバス７５に接続されている。
【００７１】
ここで、アダプタ装置７０は、例えば、ＵＳＢケーブル３５を介して、画像フォルダ伝送再生装置１及び記憶装置９と接続する。ＣＰＵ２は、アダプタ装置７０が接続コネクタ１０及び接続コネクタ２８に接続されたことに応じて、表示プログラム３６を動作させる。これにより、ユーザは、画像フォルダ伝送再生装置１及び記憶装置９が、いずれも表示プログラム３６を具備していない場合であっても、記憶装置９の画像記憶部３１に記憶されている画像フォルダ３０を電子アルバム４１としてモニタ５に表示させることができる。また、従来のデジタルテレビ、デジタルフォトフレーム、携帯電話、スマートフォン、又はスマートタブレットなどの画像を表示することができる電子機器は、アダプタ装置７０が接続されることにより、大幅な設計変更がなされることなく、画像フォルダ３０の送受信と、モニタ５に電子アルバム４１を表示させることができる。
【００７２】
なお、本発明は、上記実施形態の構成に限られず、種々の変形が可能であり、第１乃至３の実施形態に係る画像フォルダ伝送再生装置１は、電子アルバム４１を表示するとき、スピーカ２５から音声や音楽を出力する構成であっても構わない。また、第１乃至３の実施形態に係る画像フォルダ伝送再生装置１は、デジタルフォトフレーム３９、スマートフォン３７、デジタルテレビ３８、画像フォルダサーバ４０、又はスマートタブレットとして機能する構成であっても構わない。さらに、第２又は３の実施形態に係る記憶装置９又はアダプタ装置７０は、画像フォルダ伝送再生装置１ではなく、デジタルフォトフレーム３９、スマートフォン３７、デジタルテレビ３８、画像フォルダサーバ４０、スマートタブレット、又はパーソナルコンピュータに接続される構成であっても構わない。
【図１】
2012085993.tif 000003
【図２】
2012085993.tif 000004
【図３】
2012085993.tif 000005
【図４】
2012085993.tif 000006
【図５】
2012085993.tif 000007
【図６】
2012085993.tif 000008
【図７】
2012085993.tif 000009
【図８】
2012085993.tif 000010
【図９】
2012085993.tif 000011
【図１０】
2012085993.tif 000012
【図１１】
2012085993.tif 000013
【図１２】
2012085993.tif 000014
【図１３】
2012085993.tif 000015
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
画像フォルダに保持された画像ファイル又は文字を表示する画像フォルダ伝送再生装置において、
前記画像フォルダ伝送再生装置は、前記画像ファイル又は前記文字を表示する画像表示部と、ユーザによって該文字または操作命令が入力される入力部と、装置全体を制御する制御プログラムを記憶する記憶部と、前記画像フォルダを記憶する記憶装置が接続される記憶装置接続部と、有線通信又は無線通信によって前記画像フォルダを送受信する通信部とを備え、
前記記憶部は、前記画像フォルダに保持された該画像ファイル及び該画像ファイルの属性情報を前記画像表示部に表示させる表示プログラムを記憶し、
前記制御部は、
前記記憶装置が前記記憶装置接続部に接続されるか、前記通信部が前記画像フォルダを受信したことに応じて、
該画像フォルダ内に、該画像フォルダに保持された該画像ファイル及び該画像ファイルの属性情報を該画像フォルダ単位で電子アルバムとして前記画像表示部に表示させるためのアルバム化フォルダファイルが存在するか否かを判定し、
該画像フォルダ内に該アルバム化フォルダファイルが存在しないとき、該画像フォルダ内に該アルバム化フォルダファイルを作成し、
該画像フォルダ内に該アルバム化フォルダファイルが存在するとき、該アルバム化フォルダファイルに保持される情報に基づいて、該電子アルバムを該画像表示部に表示させることを特徴とした画像フォルダ伝送再生装置。
【請求項２】
前記属性情報は、前記画像ファイルのＦＡＴ（Ｆｉｌｅ  Ａｌｌｏｃａｔｉｏｎ  Ｔａｂｌｅ）データ又はＥｘｉｆ（Ｅｘｃｈａｎｇｅａｂｌｅ  Ｉｍａｇｅ  Ｆｉｌｅ  Ｆｏｒｍａｔ）データであり、
前記制御部は、
前記画像フォルダ内に前記アルバム化フォルダファイルを作成するとき、該アルバム化フォルダファイル内に前記電子アルバムのアルバムタイトルを生成するために用いられるアルバムタイトルファイルを作成し、
該画像フォルダ内に保持されている前記画像ファイルの中から該画像ファイルを１枚選択し、該画像ファイルの前記ＦＡＴデータ又は前記Ｅｘｉｆデータを参照し、
該アルバムタイトルファイルに、該ＦＡＴデータ又は該Ｅｘｉｆデータに数値データとして保持されている日付情報、時刻情報、又はＧＰＳ情報を予め定められた文字列に変換してアルバムタイトル候補として保持させ、該ＦＡＴデータ又は該Ｅｘｉｆデータにテキストデータとして保持されている画像タイトル情報、撮影者情報、又は機器情報をテキストデータのまま該アルバムタイトル候補として保持させ、
前記入力部を介して一又は複数の該アルバムタイトル候補が選択されたことに応じて、選択された該アルバムタイトル候補を該アルバムタイトルファイルに該アルバムタイトルとして保持させ、
前記画像表示部に、前記アルバムタイトルファイルに基づいて前記電子アルバムを表示させることを特徴とした請求項１に記載の画像フォルダ伝送再生装置。
【請求項３】
前記制御部は、
前記画像フォルダ内に前記アルバム化フォルダファイルを作成するとき、該アルバム化フォルダファイル内に、前記画像表示部に表示される前記電子アルバムのアルバムレイアウトの情報を保持するレイアウトファイルと、前記入力部を介して入力される任意のテキストを保持するテキストファイルとをさらに作成し、
該レイアウトファイルに、該アルバムレイアウトのテンプレートとして複数のアルバムレイアウト候補を保持させ、該入力部を介して選択された該アルバムレイアウト候補を該アルバムレイアウトとして保持させ、該画像表示部に表示される該画像ファイル、該アルバムタイトル、又は該テキストの位置又は範囲を保持させ、
該テキストファイルに、前記アルバムタイトル又は該テキストについてのフォントパターンを複数保持させ、該入力部を介して選択された該フォントパターンと該入力部を介して入力されたフォントの大きさとを該アルバムタイトル又は該テキストと関連付けて保持させ、
該画像表示部に、該レイアウトファイル及び該テキストファイルに基づいて該電子アルバムを表示させることを特徴とする請求項２に記載の画像フォルダ伝送再生装置。
【請求項４】
前記制御部は、
前記入力部を介して前記画像フォルダを検索する命令が入力されたことに応じて、前記アルバムタイトルファイル又は前記テキストファイルに保持される文字列を該画像フォルダと関連付けて前記画像表示させ、該入力部を介して該画像フォルダが選択されたことに応じて、前記電子アルバムを該画像表示部に表示させることを特徴とする請求項２又は３に記載の画像フォルダ伝送再生装置。
【請求項５】
請求項１に記載の画像フォルダ伝送再生装置に用いられる記憶装置において、
前記画像フォルダ伝送再生装置が接続される画像フォルダ伝送再生装置接続部と、前記画像フォルダ及び前記表示プログラムを記憶する画像記憶部と、を備えたことを特徴とする記憶装置。
【請求項６】
請求項１に記載の画像フォルダ伝送再生装置に用いられ、前記記憶装置に接続されるアダプタ装置において、
前記画像フォルダ伝送再生装置が接続される画像フォルダ伝送再生装置接続部と、前記記憶装置が接続される記憶装置接続部と、前記表示プログラムを記憶するプログラム記憶部と、を備えたことを特徴とするアダプタ装置。
【請求項７】
画像フォルダに保持された画像ファイル又は文字を表示する画像表示部と、ユーザによって該文字または操作命令が入力される入力部と、装置全体を制御する制御部と、該画像フォルダ伝送再生装置を制御する制御プログラムを記憶する記憶部と、有線通信又は無線通信によって前記画像フォルダを送受信する通信部とを備えたコンピュータを用いて該画像ファイルを表示する画像フォルダ伝送再生プログラムにおいて、
前記制御部に、
前記記憶装置が前記記憶装置接続部に接続されるか、前記通信部が前記画像フォルダを受信したことに応じて、
該画像フォルダ内に、該画像フォルダに保持された該画像ファイル及び該画像ファイルの属性情報を該画像フォルダ単位で電子アルバムとして前記画像表示部に表示させるためのアルバム化フォルダファイルが存在するか否かを判定させるステップと、
該画像フォルダ内にアルバム化フォルダファイルが存在しないとき、該画像フォルダ内に該アルバム化フォルダファイルを作成させるステップと、
該画像フォルダ内に該アルバム化フォルダファイルが存在するとき、該アルバム化フォルダファイルに保持される情報に基づいて、該電子アルバムを該画像表示部に表示させるステップと、をコンピュータに実行させることを特徴とした画像フォルダ伝送再生プログラム。
【請求項８】
前記属性情報は、前記画像ファイルのＦＡＴデータ又はＥｘｉｆデータであり、
前記制御部に、
前記画像フォルダ内に前記アルバム化フォルダファイルを作成させるとき、該アルバム化フォルダファイル内に前記電子アルバムのアルバムタイトルを生成するために用いられるアルバムタイトルファイルを作成させるステップと、
該画像フォルダ内に保持されている前記画像ファイルの中から該画像ファイルを１枚選択させ、該画像ファイルの前記ＦＡＴデータ又は前記Ｅｘｉｆデータを参照させるステップと、
該アルバムタイトルファイルに、該ＦＡＴデータ又は該Ｅｘｉｆデータに数値データとして保持されている日付情報、時刻情報、又はＧＰＳ情報を予め定められた文字列に変換してアルバムタイトル候補として保持させ、該ＦＡＴデータ又は該Ｅｘｉｆデータにテキストデータとして保持されている画像タイトル情報、撮影者情報、又は機器情報をテキストデータのまま該アルバムタイトル候補として保持させるステップと、
前記入力部を介して一又は複数の該アルバムタイトル候補が選択されたことに応じて、選択された該アルバムタイトル候補を該アルバムタイトルファイルに該アルバムタイトルとして保持させるステップと、
前記画像表示部に、前記アルバムタイトルファイルに基づいて前記電子アルバムを表示させるステップと、をコンピュータに実行させることを特徴とした請求項７に記載の画像フォルダ伝送再生プログラム。
【請求項９】
前記制御部に、
前記画像フォルダ内に前記アルバム化フォルダファイルを作成させるとき、該アルバム化フォルダファイル内に、前記画像表示部に表示される前記電子アルバムのアルバムレイアウトの情報を保持するレイアウトファイルと、前記入力部を介して入力される任意のテキストを保持するテキストファイルとをさらに作成させるステップと、
前記レイアウトファイルに、前記アルバムレイアウトのテンプレートとして複数のアルバムレイアウト候補を保持させ、前記入力部を介して選択された該アルバムレイアウト候補を該アルバムレイアウトとして保持させ、前記画像表示部に表示される前記画像ファイル、前記アルバムタイトル、又は前記テキストの位置又は範囲を保持させるステップと、
前記テキストファイルに、前記アルバムタイトル又は前記テキストについてのフォントパターンを複数保持させ、前記入力部を介して選択された該フォントパターンと該入力部を介して入力されたフォントの大きさとを該アルバムタイトル又は該テキストと関連付けて保持させるステップと、
前記画像表示部に、前記レイアウトファイル及び前記テキストファイルに基づいて前記電子アルバムを表示させるステップと、をコンピュータに実行させることを特徴とした請求項８に記載の画像フォルダ伝送再生プログラム。
【請求項１０】
前記制御部に、
前記入力部を介して前記画像フォルダを検索する命令が入力されたことに応じて、前記アルバムタイトルファイル又は前記テキストファイルに保持される文字列を該画像フォルダと関連付けて前記画像表示させるステップと、
前記入力部を介して前記画像フォルダが選択されたことに応じて、前記電子アルバムを前記画像表示部に表示させるステップと、をコンピュータに実行させることを特徴とした請求項８又は９に記載の画像フォルダ伝送再生プログラム。
【手続補正２】
【補正対象書類名】明細書
【補正対象項目名】００１１
【補正方法】変更
【補正の内容】
【００１１】
上記の目的を達成するために本発明は、画像フォルダに保持された画像ファイル又は文字を表示する画像フォルダ伝送再生装置において、画像フォルダ伝送再生装置は、画像ファイル又は文字を表示する画像表示部と、ユーザによって文字または操作命令が入力される入力部と、装置全体を制御する制御プログラムを記憶する記憶部と、画像フォルダを記憶する記憶装置が接続される記憶装置接続部と、有線通信又は無線通信によって画像フォルダを送受信する通信部とを備え、記憶部は、画像フォルダに保持された画像ファイル及び画像ファイルの属性情報を画像表示部に表示させる表示プログラムを記憶し、制御部は、記憶装置が記憶装置接続部に接続されるか、通信部が画像フォルダを受信したことに応じて、画像フォルダ内に、画像フォルダに保持された画像ファイル及び画像ファイルの属性情報を画像フォルダ単位で電子アルバムとして画像表示部に表示させるためのアルバム化フォルダファイルが存在するか否かを判定し、画像フォルダ内にアルバム化フォルダファイルが存在しないとき、画像フォルダ内にアルバム化フォルダファイルを作成し、画像フォルダ内にアルバム化フォルダファイルが存在するとき、アルバム化フォルダファイルに保持される情報に基づいて、電子アルバムを画像表示部に表示させる。
【手続補正３】
【補正対象書類名】明細書
【補正対象項目名】００１２
【補正方法】変更
【補正の内容】
【００１２】
本発明によれば、画像表示装置及び記憶装置に記憶されている画像フォルダにアルバム化フォルダファイルを保持させることにより、画像フォルダの名称がＤＣＦ規格に準拠していない場合であっても、画像表示部に電子アルバムを表示させることができる。
【手続補正４】
【補正対象書類名】明細書
【補正対象項目名】００１３
【補正方法】変更
【補正の内容】
【００１３】
属性情報は、画像ファイルのＦＡＴ（Ｆｉｌｅ  Ａｌｌｏｃａｔｉｏｎ  Ｔａｂｌｅ）データ又はＥｘｉｆ（Ｅｘｃｈａｎｇｅａｂｌｅ  Ｉｍａｇｅ  Ｆｉｌｅ  Ｆｏｒｍａｔ）データであり、制御部は、画像フォルダ内にアルバム化フォルダファイルを作成するとき、アルバム化フォルダファイル内に電子アルバムのアルバムタイトルを生成するために用いられるアルバムタイトルファイルを作成し、画像フォルダ内に保持されている画像ファイルの中から画像ファイルを１枚選択し、画像ファイルのＦＡＴデータ又はＥｘｉｆデータを参照し、アルバムタイトルファイルに、ＦＡＴデータ又はＥｘｉｆデータに数値データとして保持されている日付情報、時刻情報、又はＧＰＳ情報を予め定められた文字列に変換してアルバムタイトル候補として保持させ、ＦＡＴデータ又はＥｘｉｆデータにテキストデータとして保持されている画像タイトル情報、撮影者情報、又は機器情報をテキストデータのままアルバムタイトル候補として保持させ、入力部を介して一又は複数のアルバムタイトル候補が選択されたことに応じて、選択されたアルバムタイトル候補をアルバムタイトルファイルにアルバムタイトルとして保持させ、画像表示部に、アルバムタイトルファイルに基づいて電子アルバムを表示させる。
【手続補正５】
【補正対象書類名】明細書
【補正対象項目名】００１４
【補正方法】変更
【補正の内容】
【００１４】
本発明によれば、アルバム化フォルダファイル内にアルバムタイトルファイルを作成することにより、ユーザは、画像ファイルとアルバムタイトルとを電子アルバムとして画像表示部に表示させることができる。また、アルバムタイトルファイルは、画像ファイルのＦＡＴデータ又はＥｘｉｆデータに基づいて作成されるため、ユーザは、所望するアルバムタイトルを容易に作成することができる。
【手続補正６】
【補正対象書類名】明細書
【補正対象項目名】００１５
【補正方法】変更
【補正の内容】
【００１５】
また、本発明は、上述の改良された発明において、制御部は、画像フォルダ内にアルバム化フォルダファイルを作成するとき、アルバム化フォルダファイル内に、電子アルバムが画像表示部に表示されるアルバムレイアウトの情報を保持するレイアウトファイルと、入力部を介して入力される任意のテキストを保持するテキストファイルとをさらに作成し、レイアウトファイルに、アルバムレイアウトのテンプレートとして複数のアルバムレイアウト候補を保持させ、入力部を介して選択されたアルバムレイアウト候補をアルバムレイアウトとして保持させ、画像表示部に表示される画像ファイル、アルバムタイトル、又はテキストの位置又は範囲を保持させ、テキストファイルに、アルバムタイトル又はテキストについてのフォントパターンを複数保持させ、入力部を介して選択されたフォントパターンと入力部を介して入力されたフォントの大きさとをアルバムタイトル又はテキストと関連付けて保持させ、画像表示部に、レイアウトファイル及びテキストファイルに基づいて電子アルバムを表示させる。
【手続補正７】
【補正対象書類名】明細書
【補正対象項目名】００２３
【補正方法】変更
【補正の内容】
【００２３】
また、本発明は、上述の改良された発明において、画像フォルダに保持された画像ファイル又は文字を表示する画像表示部と、ユーザによって文字または操作命令が入力される入力部と、装置全体を制御する制御部と、画像フォルダ伝送再生装置を制御する制御プログラムを記憶する記憶部と、有線通信又は無線通信によって画像フォルダを送受信する通信部とを備えたコンピュータを用いて画像ファイルを表示する画像フォルダ伝送再生プログラムにおいて、制御部に、記憶装置が記憶装置接続部に接続されるか、通信部が画像フォルダを受信したことに応じて、画像フォルダ内に、画像フォルダに保持された画像ファイル及び画像ファイルの属性情報を画像フォルダ単位で電子アルバムとして画像表示部に表示させるためのアルバム化フォルダファイルが存在するか否かを判定させるステップと、画像フォルダ内にアルバム化フォルダファイルが存在しないとき、画像フォルダ内にアルバム化フォルダファイルを作成させるステップと、画像フォルダ内にアルバム化フォルダファイルが存在するとき、アルバム化フォルダファイルに保持される情報に基づいて、電子アルバムを画像表示部に表示させるステップと、をコンピュータに実行させる。
【手続補正８】
【補正対象書類名】明細書
【補正対象項目名】００２４
【補正方法】変更
【補正の内容】
【００２４】
本発明によれば、ユーザは、コンピュータを用いて、画像フォルダ伝送再生装置及び記憶装置に記憶されている画像フォルダにアルバム化フォルダファイルを保持させることにより、画像フォルダの名称がＤＣＦ規格に準拠していない場合であっても、画像表示部に画像ファイルを表示させることができる。
【手続補正９】
【補正対象書類名】明細書
【補正対象項目名】００２５
【補正方法】変更
【補正の内容】
【００２５】
また、本発明は、上述の改良された発明において、属性情報は、画像ファイルのＦＡＴデータ又はＥｘｉｆデータであり、制御部に、画像フォルダ内にアルバム化フォルダファイルを作成させるとき、アルバム化フォルダファイル内に電子アルバムのアルバムタイトルを生成するために用いられるアルバムタイトルファイルを作成させるステップと、画像フォルダ内に保持されている画像ファイルの中から画像ファイルを１枚選択させ、画像ファイルのＦＡＴデータ又はＥｘｉｆデータを参照させるステップと、アルバムタイトルファイルに、ＦＡＴデータ又はＥｘｉｆデータに数値データとして保持されている日付情報、時刻情報、又はＧＰＳ情報を予め定められた文字列に変換してアルバムタイトル候補として保持させ、ＦＡＴデータ又はＥｘｉｆデータにテキストデータとして保持されている画像タイトル情報、撮影者情報、又は機器情報をテキストデータのままアルバムタイトル候補として保持させるステップと、入力部を介して一又は複数のアルバムタイトル候補が選択されたことに応じて、選択されたアルバムタイトル候補をアルバムタイトルファイルにアルバムタイトルとして保持させるステップと、画像表示部に、アルバムタイトルファイルに基づいて電子アルバムを表示させるステップと、をコンピュータに実行させる。
【手続補正１０】
【補正対象書類名】明細書
【補正対象項目名】００２６
【補正方法】変更
【補正の内容】
【００２６】
本発明によれば、ユーザは、コンピュータを用いて、アルバム化フォルダファイル内にアルバムタイトルファイルを作成することにより、ユーザは、画像ファイルとアルバムタイトルとを電子アルバムとして画像表示部に表示させることができる。また、ユーザは、コンピュータを用いて、画像ファイルのＦＡＴデータ又はＥｘｉｆデータに基づいてアルバムタイトルファイルを作成することにより、所望するアルバムタイトルを容易に作成することができる。
【手続補正１１】
【補正対象書類名】明細書
【補正対象項目名】００２７
【補正方法】変更
【補正の内容】
【００２７】
また、本発明は、上述の改良された発明において、制御部に、画像フォルダ内にアルバム化フォルダファイルを作成させるとき、アルバム化フォルダファイル内に、電子アルバムが画像表示部に表示されるアルバムレイアウトの情報を保持するレイアウトファイルと、入力部を介して入力される任意のテキストを保持するテキストファイルとをさらに作成させるステップと、レイアウトファイルに、アルバムレイアウトのテンプレートとして複数のアルバムレイアウト候補を保持させ、入力部を介して選択されたアルバムレイアウト候補をアルバムレイアウトとして保持させ、画像表示部に表示される画像ファイル、アルバムタイトル、又はテキストの位置又は範囲を保持させるステップと、テキストファイルに、アルバムタイトル又はテキストについてのフォントパターンを複数保持させ、入力部を介して選択されたフォントパターンと入力部を介して入力されたフォントの大きさとをアルバムタイトル又はテキストと関連付けて保持させるステップと、画像表示部に、レイアウトファイル及びテキストファイルに基づいて電子アルバムを表示させるステップと、をコンピュータに実行させる。
【手続補正１２】
【補正対象書類名】明細書
【補正対象項目名】００３２
【補正方法】変更
【補正の内容】
【００３２】
１  画像フォルダ伝送再生装置
２  ＣＰＵ（制御部）
３  制御プログラム
５  モニタ（画像表示部）
４  記憶部
７  入力部
１０  接続コネクタ（記憶装置接続部）
１３  アンテナ（通信部）
１６  通信コネクタ（通信部）
２８  接続コネクタ（画像フォルダ伝送再生置接続部）
３０  画像フォルダ
３１  画像記憶部
３３  画像ファイル
３４  アルバム化フォルダファイル
３６  表示プログラム
４１  電子アルバム
４３  アルバムタイトル
５１  アルバムタイトルファイル
５２  レイアウトファイル
５３  テキストファイル
５４  アルバムタイトル候補
５５  アルバムレイアウト候補
５７  アルバムレイアウト
５９  フォントパターン
７０  アダプタ装置
７１  プログラム記憶部
７２  接続コネクタ（画像フォルダ伝送再生装置接続部）
７３  接続コネクタ（記憶装置接続部）
【手続補正１３】
【補正対象書類名】明細書
【補正対象項目名】００３４
【補正方法】変更
【補正の内容】
【００３４】
記憶装置９は、画像フォルダ伝送再生装置１が接続される接続コネクタ２８（画像フォルダ伝送再生装置接続部）と、接続コネクタ２８を制御する接続コネクタ制御部２９と、一又は複数の画像フォルダ３０を記憶する画像記憶部３１とを備え、これらはバス３２に接続されている。各画像フォルダ３０は、デジタルカメラやデジタルビデオカメラで撮影された一又は複数の画像ファイル３３と、画像ファイル３３が電子アルバムとしてモニタ５に表示されるときに用いられるアルバム化フォルダファイル３４とを保持する。画像フォルダ伝送再生装置１は、例えば、ＵＳＢケーブル３５を介して、記憶装置９に接続される。記憶部４は、アルバム化フォルダファイル３４に保持される情報に基づいて、画像ファイル３３をモニタ５に表示させる表示プログラム３６を記憶する。モニタ５は、タッチパネル機能を備え、入力部７は、例えば、キーボード、マウス、タブレット、又はモニタ５が備えるタッチパネルである。
【手続補正１４】
【補正対象書類名】明細書
【補正対象項目名】００３６
【補正方法】変更
【補正の内容】
【００３６】
ＣＰＵ２は、アルバム化フォルダファイル３４を参照することにより、記憶装置９に記憶された画像ファイル３３を電子アルバムとしてモニタ５に表示させる。ここで、モニタ５は、電子アルバムとして画像ファイル３３を画像フォルダ３０単位で表示するものとする。ＣＰＵ２がアルバム化フォルダファイル３４を参照することにより、モニタ５は、画像フォルダ３０の名称がＤＣＦ規格に準拠しているか否かに関わらず、電子アルバムを表示することができる。また、ＣＰＵ２は、モニタ５に表示される電子アルバムのレイアウトが、ユーザによって設定されたことに応じて、設定されたレイアウトに関する情報をアルバム化フォルダファイル３４に保持させる。これにより、ユーザは、好みのレイアウトで電子アルバムをモニタ５に表示させることができる。
【手続補正１５】
【補正対象書類名】明細書
【補正対象項目名】００３７
【補正方法】変更
【補正の内容】
【００３７】
さらに、ＣＰＵ２は、ユーザによって、入力部７を介して任意のテキストが入力されたことに応じて、画像フォルダ３０と任意のテキストを関連付ける。これにより、ユーザは、電子アルバムとともに任意のテキストをモニタ５に表示させることができる。記憶装置９に記憶された画像フォルダ３０が、記憶部４、メモリーカード２２、携帯電話３４、又はデジタルフォトフレーム３９にコピーされる場合、ＣＰＵ２は、画像ファイル３３とともに、アルバム化フォルダファイル３４をコピーする。これにより、画像フォルダ伝送再生装置１は、記憶部４、メモリーカード２２、携帯電話３４、又はデジタルフォトフレーム３９に記憶される画像フォルダ３０を電子アルバムとして表示することができる。
【手続補正１６】
【補正対象書類名】明細書
【補正対象項目名】００４０
【補正方法】変更
【補正の内容】
【００４０】
図３は、本実施形態に係る画像フォルダ３０の構成を示す。ここで、記憶装置９は、画像フォルダ３０として、画像フォルダ３０ａ乃至３０ｃを記憶しているものとする。画像フォルダ３０ａは、ＤＣＦ規格に準拠したフォルダ名「１０１ＡＢＣＤＥ」が付与されている。画像フォルダ３０ｂ及び３０ｃは、ＤＣＦ規格に準拠しないフォルダ名「ハワイ諸島」及び「結婚記念日」が付与されている。画像フォルダ３０ａは、アルバム化フォルダファイル３４ａと複数の画像ファイル３３ａを保持している。画像フォルダ３０ｂは、アルバム化フォルダファイル３４ｂと複数の画像ファイル３３ｂを保持している。画像フォルダ３０ｃは、複数の画像ファイル３３ｃを保持している。
【手続補正１７】
【補正対象書類名】明細書
【補正対象項目名】００４１
【補正方法】変更
【補正の内容】
【００４１】
アルバム化フォルダファイル３４ａ及び３４ｂは、それぞれアルバムタイトルファイル５１ａ及び５１ｂと、レイアウトファイル５２ａ及び５２ｂと、テキストファイル５３ａ及び５３ｂとを保持する。アルバムタイトルファイル５１ａ及び５１ｂは、タイトル表示窓４４に表示されるアルバムタイトル４３に関する情報を保持する。レイアウトファイル５２ａ及び５２ｂは、モニタ５に表示される電子アルバム４１のレイアウトに関する情報を保持する。テキストファイル５３ａ及び５３ｂは、テキスト表示窓４６、メッセージ表示窓４８、又はオーバーレイ図形４９にそれぞれ表示されるテキスト４５、メッセージ４７、又は台詞５０に関する情報を保持する。
【手続補正１８】
【補正対象書類名】明細書
【補正対象項目名】００４２
【補正方法】変更
【補正の内容】
【００４２】
通常のデジタルフォトフレームは、ＤＣＦ規格に準拠しない名称が付与された画像フォルダ３０に保持された画像ファイル３３を表示することができない。そこで、ＣＰＵ２は、画像フォルダ３０ａ及び２７ｂに保持されるアルバム化フォルダファイル３４ａ及び３１ｂを参照することにより、画像フォルダ３０ａ及び２７ｂに保持される画像ファイル３３ａ及び３０ｂを画像表示窓４２に表示させる。これにより、ユーザは、ＤＣＦ規格に準拠しないフォルダ名が付与された画像フォルダ３０であっても、電子アルバム４１として画像フォルダ伝送再生装置１に表示させることができる。
【手続補正１９】
【補正対象書類名】明細書
【補正対象項目名】００４３
【補正方法】変更
【補正の内容】
【００４３】
ここで、画像フォルダ３０ｃは、アルバム化フォルダファイル３４を保持していない。ＣＰＵ２は、画像フォルダ３０ｃを電子アルバム４１として画像フォルダ伝送再生装置１に表示させるとき、画像フォルダ３０ｃにアルバム化フォルダファイル３４が存在しているか否かを判定する。ＣＰＵ２は、画像フォルダ３０ｃにアルバム化フォルダファイル３４が存在していないとき、画像フォルダ３０ｃ内にアルバム化フォルダファイル３４を作成する。これにより、画像フォルダ伝送再生装置１は、画像フォルダ３０の名称がＤＣＦ規格に準拠しているか否かに関わらず、電子アルバム４１をモニタ５に表示させることができる。
【手続補正２０】
【補正対象書類名】明細書
【補正対象項目名】００４４
【補正方法】変更
【補正の内容】
【００４４】
ここで、アルバム化フォルダファイル３４は、画像フォルダ３０の直下に保持され、アルバムタイトルファイル５１、レイアウトファイル５２、及びテキストファイル５３は、アルバム化フォルダファイル３４の直下に保持されるものとする。これにより、画像フォルダ伝送再生装置１は、記憶装置９、メモリーカード２２、デジタルフォトフレーム３９、スマートフォン３７、デジタルテレビ３８、又は画像フォルダサーバ４０との間で送受信された画像フォルダ３０に保持されるアルバムタイトルファイル５１、レイアウトファイル５２、及びテキストファイル５３を迅速かつ確実に参照することができる。画像フォルダ伝送再生装置１は、画像フォルダ３０におけるアルバムタイトルファイル５１、レイアウトファイル５２、及びテキストファイル５３を確実に参照することができるので、他の機器に記憶されている画像フォルダ３０であっても電子アルバム４１としてモニタ５に表示する互換性を有することが可能となる。
【手続補正２１】
【補正対象書類名】明細書
【補正対象項目名】００４５
【補正方法】変更
【補正の内容】
【００４５】
次に、アルバム化フォルダファイル３４に保持されるアルバムタイトルファイル５１について説明する。図４は、本実施形態に係るアルバムタイトルファイル５１の構成の一例を示す。アルバムタイトルファイル５１は、タイトル表示窓４４に表示されるアルバムタイトル４３を作成するためのファイルである。アルバムタイトルファイル５１は、アルバムタイトル４３の候補となる複数のアルバムタイトル候補５４と、ユーザによって、複数のアルバムタイトル候補５４の中から選択されたアルバムタイトル４３とを保持する。アルバムタイトル候補５４は、画像表示窓４２に表示される画像ファイル３３についての撮影日時５４ａ、撮影場所５４ｂ、撮影者５４ｃ、日時属性５４ｄ、撮影モード５４ｅ、機器メーカ名５４ｆ、機器モデル名５４ｇ、及び画像タイトル５４ｈである。
【手続補正２２】
【補正対象書類名】明細書
【補正対象項目名】００４９
【補正方法】変更
【補正の内容】
【００４９】
次に、アルバム化フォルダファイル３４に保持されるレイアウトファイル５２について説明する。図５は、本実施形態に係るレイアウトファイル５２の構成の一例を示す。レイアウトファイル５２は、電子アルバム４１のレイアウトを決定するためのファイルである。レイアウトファイル５２は、画像表示窓４２やタイトル表示窓４４についてのレイアウトのサンプルを複数保持するアルバムレイアウト候補５５と、画像ファイル３３に重ねられるオーバーレイ図形４９のサンプルを複数保持するオーバーレイ図形候補５６と、ユーザによって設定された電子アルバム４１のレイアウトを保持するアルバムレイアウト５７と、アルバムレイアウト５７を構成する画像表示窓４２、タイトル表示窓４４、テキスト表示窓４６、メッセージ表示窓４８、及びオーバーレイ図形４９の位置及び範囲を保持するパーツ属性５８とを保持する。パーツ属性５８は、画像表示窓４２やタイトル表示窓４４などの位置及び範囲として、例えば、ピクセルで表現された座標及び長さを保持する。
【手続補正２３】
【補正対象書類名】明細書
【補正対象項目名】００５２
【補正方法】変更
【補正の内容】
【００５２】
次に、アルバム化フォルダファイル３４に保持されるテキストファイル５３について説明する。図６は、本実施形態に係るテキストファイル５３の構成の一例を示す。テキストファイル５３は、アルバムタイトル４３、テキスト４５、メッセージ４７、及び台詞５０のフォントとフォントの大きさを決定するファイルである。また、テキストファイル５３は、テキスト表示窓４６、メッセージ表示窓４８、及びオーバーレイ図形４９にそれぞれ表示されるテキスト４５、メッセージ４７、及び台詞５０の内容を保持する。
【手続補正２４】
【補正対象書類名】明細書
【補正対象項目名】００５５
【補正方法】変更
【補正の内容】
【００５５】
次に、ユーザによって、電子アルバム４１のレイアウトが選択される手順について説明する。図７（ａ）（ｂ）は、本実施形態に係るレイアウト選択画面６１の一例を示す。図７（ａ）は、レイアウト選択画面６１の構成を示し、図７（ｂ）は、ユーザによって決定されたアルバムレイアウト５７の構成を示す。図７（ａ）において、ＣＰＵ２は、画像フォルダ３０のアルバム化フォルダファイル３４内に、レイアウトファイル５２を作成するとき、モニタ５にレイアウト選択画面６１を表示させる。レイアウト選択画面６１は、アルバムレイアウト候補５５とオーバーレイ図形候補５６を表示する。
【手続補正２５】
【補正対象書類名】明細書
【補正対象項目名】００６４
【補正方法】変更
【補正の内容】
【００６４】
次に、ＣＰＵ２が、電子アルバム４１をモニタ５に表示させる手順について説明する。図１１は、電子アルバム４１がモニタ５に表示される処理のフローを示す。ＣＰＵ２は、記憶装置９に記憶された画像フォルダ３０の電子アルバム４１をモニタ５に表示させる命令が入力部７に入力されると（Ｓ１０１）、画像フォルダ３０内にアルバム化フォルダファイル３４が存在するか否かを判定する（Ｓ１０２）。ステップＳ１０２において、アルバム化フォルダファイル３４が存在しなしとき（Ｓ１０２でＮｏ）、ＣＰＵ２は、画像フォルダ３０内にアルバム化フォルダファイル３４を作成する（Ｓ１０３）。ここで、アルバム化フォルダファイル３４は、画像フォルダ３０の直下に作成されるものとする。ＣＰＵ２は、アルバム化フォルダファイル３４を作成するとき、アルバム化フォルダファイル３４内にアルバムタイトルファイル５１、レイアウトファイル５２、及びテキストファイル５３を作成する。
【手続補正２６】
【補正対象書類名】明細書
【補正対象項目名】００６８
【補正方法】変更
【補正の内容】
【００６８】
ステップＳ１０２において、アルバム化フォルダファイル３４が存在するとき（Ｓ１０２でＹｅｓ）、ＣＰＵ２は、ステップＳ１１０の処理を実行する。ＣＰＵ２は、アルバム化フォルダファイル３４が保持する情報に基づいて、電子アルバム４１をモニタ５に表示させる（Ｓ１１０）。これにより、ユーザは、電子アルバム４１にアルバムタイトル４３を容易に付与することできるともに、好みのアルバムレイアウト５７を簡便に作成することができる。また、ユーザは、画像フォルダ３０の名称がＤＣＦ規格に準拠しているか否かに関わらず、電子アルバム４１をモニタ５に表示させることができる。
【手続補正２７】
【補正対象書類名】図面
【補正対象項目名】図３
【補正方法】変更
【補正の内容】
【図３】
2012085993.tif 000016
【手続補正２８】
【補正対象書類名】図面
【補正対象項目名】図１１
【補正方法】変更
【補正の内容】
【図１１】
2012085993.tif 000017
【国際調査報告】
2012085993.tif 000018
2012085993.tif 000019
2012085993.tif 000020
2012085993.tif 000021